(57)【特許請求の範囲】
【請求項１】
第１の通信網と第２の通信網に接続可能であり、第１の通信網の受信レベルが閾値を超えれば第１の通信網に接続し、第１の通信網の受信レベルが閾値以下になれば第２の通信網に接続する無線通信装置において、
前記第２の通信網と接続中に、前記第１の通信網の受信レベルが前記閾値より大きい第１の閾値を超え、かつ前記閾値より小さい第２の閾値以下にならない期間が所定期間継続したときに前記第１の通信網に切り替え、前記第１の通信網と接続中に、前記第１の通信網の受信レベルが前記第２の閾値以下となり、かつ前記第１の閾値を超えない期間が所定期間継続したときに前記第２の通信網に切り替える手段を備えた
ことを特徴とする無線通信装置。
【請求項２】
第１の通信網と第２の通信網に接続可能であり、第１の通信網の受信レベルが閾値を超えれば第１の通信網に接続する無線通信装置において、
前記第２の通信網と接続中に、前記第１の通信網の受信レベルが前記閾値より大きい第１の閾値を超え、かつ前記閾値より小さい第２の閾値以下にならない期間が所定期間継続したときに前記第１の通信網に切り替える手段を備えた
ことを特徴とする無線通信装置。
【請求項３】
第１の通信網と第２の通信網に接続可能であり、第１の通信網の受信レベルが閾値以下になれば第２の通信網に接続する無線通信装置において、
前記第１の通信網と接続中に、前記第１の通信網の受信レベルが前記閾値より小さい第２の閾値以下となり、かつ前記閾値より大きい第１の閾値を超えない期間が所定期間継続したときに前記第２の通信網に切り替える手段を備えた
ことを特徴とする無線通信装置。
【請求項４】
請求項１〜３のいずれかに記載の無線通信装置において、
前記第１の通信網と前記第２の通信網との間の切り替えは、通信中のトラヒックを監視し、当該トラヒックがない期間が所定期間継続したときに実行する手段を備えた
ことを特徴とする無線通信装置。
【請求項５】
請求項１〜３のいずれかに記載の無線通信装置において、
前記第１の通信網は無線ＬＡＮであり、前記第２の通信網は移動通信網であることを特徴とする無線通信装置。
【請求項６】
第１の通信網と第２の通信網に接続可能な無線通信装置であって、第１の通信網の受信レベルが閾値を超えれば第１の通信網に接続し、第１の通信網の受信レベルが閾値以下になれば第２の通信網に接続するハンドオーバ方法において、
前記第２の通信網と接続中に、前記第１の通信網の受信レベルが前記閾値より大きい第１の閾値を超え、かつ前記閾値より小さい第２の閾値以下にならない期間が所定期間継続したときに前記第１の通信網に切り替え、
前記第１の通信網と接続中に、前記第１の通信網の受信レベルが前記第２の閾値以下となり、かつ前記第１の閾値を超えない期間が所定期間継続したときに前記第２の通信網に切り替える
ことを特徴とするハンドオーバ方法。
【請求項７】
第１の通信網と第２の通信網に接続可能な無線通信装置であって、第１の通信網の受信レベルが閾値を超えれば第１の通信網に接続するハンドオーバ方法において、
前記第２の通信網と接続中に、前記第１の通信網の受信レベルが前記閾値より大きい第１の閾値を超え、かつ前記閾値より小さい第２の閾値以下にならない期間が所定期間継続したときに前記第１の通信網に切り替える
ことを特徴とするハンドオーバ方法。
【請求項８】
第１の通信網と第２の通信網に接続可能な無線通信装置であって、第１の通信網の受信レベルが閾値以下になれば第２の通信網に接続するハンドオーバ方法において、
前記第１の通信網と接続中に、前記第１の通信網の受信レベルが前記閾値より小さい第２の閾値以下となり、かつ前記閾値より大きい第１の閾値を超えない期間が所定期間継続したときに前記第２の通信網に切り替える
ことを特徴とするハンドオーバ方法。
【請求項９】
請求項６〜８のいずれかに記載のハンドオーバ方法において、
前記第１の通信網と前記第２の通信網との間の切り替えは、通信中のトラヒックを監視し、当該トラヒックがない期間が所定期間継続したときに実行する
ことを特徴とするハンドオーバ方法。
【請求項１０】
請求項６〜８のいずれかに記載のハンドオーバ方法において、
前記第１の通信網は無線ＬＡＮであり、前記第２の通信網は移動通信網であることを特徴とするハンドオーバ方法。
【発明の詳細な説明】
【技術分野】
【０００１】
本発明は、移動通信網と無線ＬＡＮに接続可能な無線通信装置において、移動通信網と無線ＬＡＮとの接続先切替を行うハンドオーバ方法および無線通信装置に関する。
【０００２】
ここで、無線通信装置は、移動通信網と無線ＬＡＮの双方に接続できる２つのインタフェース（ＩＦ）を備えた移動端末であってもよいし、移動端末と移動通信網または無線ＬＡＮとを中継する無線中継装置のＷＡＮ側の通信機能部であってもよい。
【０００３】
また、移動通信網は、例えば第３世代および第3.5 世代の携帯電話網であり、その規格としては、例えばＨＳＤＰＡ（High speed downlink packet access)、ＷＣＤＭＡ（Wide band code division multiple access)、ＥＤＧＥ（Enhanced data rates for GSM evolution)などである。
【背景技術】
【０００４】
移動通信網と無線ＬＡＮを比較した場合、一般的に移動通信網はカバーエリアは広いが通信速度は遅く、無線ＬＡＮはカバーエリアは狭いが通信速度は速いという特徴がある。そこで、移動通信網と無線ＬＡＮのそれぞれの特徴を活かせる無線通信装置として、移動通信網と無線ＬＡＮの双方に接続できる２つのＩＦを備え、通常は携帯電話網に接続しながら、無線ＬＡＮとの接続が可能な状況になれば無線ＬＡＮに切り替える無線通信装置がある（特許文献１）。
【０００５】
ここで、移動通信網と無線ＬＡＮのハンドオーバ方法として、無線ＬＡＮの受信レベル（ＲＳＳＩ）を監視し、当該受信レベルが閾値以下であれば移動通信網に接続し、当該受信レベルが閾値を超えれば無線ＬＡＮに接続する方法がある。例えば、図９に示すように、移動通信網エリア内に無線ＬＡＮエリアが局所的に存在しているときに、無線通信装置が移動通信網エリア内かつ無線ＬＡＮエリア外にいれば、無線ＬＡＮの受信レベルが閾値以下であるので移動通信網に接続する。また、無線通信装置が無線ＬＡＮエリア内に入り、無線ＬＡＮの受信レベルが閾値を超えれば無線ＬＡＮに接続する。
【先行技術文献】
【特許文献】
【０００６】
【特許文献１】特開２０１０−０２１８７８号公報
【発明の概要】
【発明が解決しようとする課題】
【０００７】
移動通信網と無線ＬＡＮとの間で行われるハンドオーバは、無線ＬＡＮの受信レベルと閾値との比較のみによって行われていた。そのため、受信レベルが閾値を挟んで短時間に変動する場合にハンドオーバが頻繁に発生し、その都度通信回線が切断される問題がある。無線ＬＡＮの受信レベルが閾値を挟んで短時間に変動する状況としては、無線通信装置が無線ＬＡＮエリアの境界付近にあって受信レベルが安定しない場合、無線ＬＡＮエリア内でも電波の状態によって一時的に受信レベルが閾値以下になる場合、一時的に無線通信装置が無線ＬＡＮエリアを通過する場合などである。
【０００８】
また、ハンドオーバの契機が無線ＬＡＮの受信レベルと閾値との比較のみであり、データ通信のトラヒックに無関係にハンドオーバが行われている。そのため、ハンドオーバによってＩＰアドレスの変更等の処理の際にいずれにも接続していない（切断）状態になり、データ通信が突然終了する問題がある。
【０００９】
本発明は、移動通信網と無線ＬＡＮとの間で安定したハンドオーバを行うことができ、またデータ通信を中断させることなくハンドオーバを行うことができるハンドオーバ方法および無線通信装置を提供することを目的とする。
【課題を解決するための手段】
【００１２】
第１の発明は、第１の通信網と第２の通信網に接続可能であり、第１の通信網の受信レベルが閾値を超えれば第１の通信網に接続し、第１の通信網の受信レベルが閾値以下になれば第２の通信網に接続する無線通信装置において、第２の通信網と接続中に、第１の通信網の受信レベルが閾値より大きい第１の閾値を超え、かつ閾値より小さい第２の閾値以下にならない期間が所定期間継続したときに第１の通信網に切り替え、第１の通信網と接続中に、第１の通信網の受信レベルが第２の閾値以下となり、かつ第１の閾値を超えない期間が所定期間継続したときに第２の通信網に切り替える手段を備える。
第２の発明は、第１の通信網と第２の通信網に接続可能であり、第１の通信網の受信レベルが閾値を超えれば第１の通信網に接続する無線通信装置において、第２の通信網と接続中に、第１の通信網の受信レベルが閾値より大きい第１の閾値を超え、かつ閾値より小さい第２の閾値以下にならない期間が所定期間継続したときに第１の通信網に切り替える手段を備える。
第３の発明は、第１の通信網と第２の通信網に接続可能であり、第１の通信網の受信レベルが閾値以下になれば第２の通信網に接続する無線通信装置において、第１の通信網と接続中に、第１の通信網の受信レベルが閾値より小さい第２の閾値以下となり、かつ閾値より大きい第１の閾値を超えない期間が所定期間継続したときに第２の通信網に切り替える手段を備える。
【００１３】
第１〜第３の発明の無線通信装置において、第１の通信網と第２の通信網との間の切り替えは、通信中のトラヒックを監視し、当該トラヒックがない期間が所定期間継続したときに実行する手段を備えてもよい。
【００１４】
第１〜第３の発明の無線通信装置において、第１の通信網は無線ＬＡＮであり、第２の通信網は移動通信網である。
【００１７】
第４の発明は、第１の通信網と第２の通信網に接続可能な無線通信装置であって、第１の通信網の受信レベルが閾値を超えれば第１の通信網に接続し、第１の通信網の受信レベルが閾値以下になれば第２の通信網に接続するハンドオーバ方法において、第２の通信網と接続中に、第１の通信網の受信レベルが閾値より大きい第１の閾値を超え、かつ閾値より小さい第２の閾値以下にならない期間が所定期間継続したときに第１の通信網に切り替え、第１の通信網と接続中に、第１の通信網の受信レベルが第２の閾値以下となり、かつ第１の閾値を超えない期間が所定期間継続したときに第２の通信網に切り替える。
第５の発明は、第１の通信網と第２の通信網に接続可能な無線通信装置であって、第１の通信網の受信レベルが閾値を超えれば第１の通信網に接続するハンドオーバ方法において、第２の通信網と接続中に、第１の通信網の受信レベルが閾値より大きい第１の閾値を超え、かつ閾値より小さい第２の閾値以下にならない期間が所定期間継続したときに第１の通信網に切り替える。
第６の発明は、第１の通信網と第２の通信網に接続可能な無線通信装置であって、第１の通信網の受信レベルが閾値以下になれば第２の通信網に接続するハンドオーバ方法において、第１の通信網と接続中に、第１の通信網の受信レベルが閾値より小さい第２の閾値以下となり、かつ閾値より大きい第１の閾値を超えない期間が所定期間継続したときに第２の通信網に切り替える。
【００１８】
第４〜第６の発明のハンドオーバ方法において、第１の通信網と第２の通信網との間の切り替えは、通信中のトラヒックを監視し、当該トラヒックがない期間が所定期間継続したときに実行するようにしてもよい。
【００１９】
第４〜第６の発明のハンドオーバ方法において、第１の通信網は無線ＬＡＮであり、第２の通信網は移動通信網である。
【発明の効果】
【００２０】
本発明は、第２の通信網と接続中に、第１の通信網の受信レベルが閾値を超えたときにただちに第１の通信網に切り替えるのではなく、所定期間継続して当該閾値を超えたときに切り替える。また、第１の通信網と接続中に、第１の通信網の受信レベルが閾値以下になったときにただちに第２の通信網に切り替えるのではなく、所定期間継続して当該閾値以下になったときに切り替える。これにより、閾値を挟んで受信レベルが変動する状況でのハンドオーバは回避されるので、移動中でも通信が頻繁に途切れることもなく、安定したハンドオーバを実現することができる。
【００２１】
また、第１の通信網の受信レベルがハンドオーバの条件を満たしたときに、通信中のトラヒックがない期間が所定期間継続したことを確認してハンドオーバを実行することにより、通信が中断することを回避して安定したハンドオーバを実現することができる。
【図面の簡単な説明】
【００２２】
【図１】本発明の無線通信装置の実施例１の構成例を示す図である。
【図２】本発明のハンドオーバ方法の第１の処理手順例を示すフローチャートである。
【図３】本発明のハンドオーバ方法の第１の処理手順例に対応する動作例を示す図である。
【図４】本発明のハンドオーバ方法の第２の処理手順例を示すフローチャートである。
【図５】本発明のハンドオーバ方法の第２，第３の処理手順例に対応する動作例を示す図である。
【図６】本発明のハンドオーバ方法の第３の処理手順例を示すフローチャートである。
【図７】本発明の無線通信装置の実施例２の構成例を示す図である。
【図８】本発明のハンドオーバ方法の第４の処理手順例を示すフローチャートである。
【図９】移動通信網と無線ＬＡＮの関係を示す図である。
【発明を実施するための形態】
【実施例１】
【００２３】
図１は、本発明の無線通信装置の実施例１の構成例を示す。
図１において、無線通信装置は、無線ＬＡＮＩＦ部１１と、移動通信網ＩＦ部１２と、無線ＬＡＮＩＦ部１１に接続して無線ＬＡＮの受信レベル（ＲＳＳＩ）を検出する受信レベル検出部１３と、無線ＬＡＮのＲＳＳＩに応じて無線ＬＡＮと移動通信網のハンドオーバを制御する制御部１４と、制御部１４に接続してハンドオーバに係る時間計測を行うタイマ部１５とを備える。
【００２４】
なお、本構成は単体の無線端末装置であってもよいし、図１の構成において、さらに、制御部１４に接続されて無線端末との通信を行うＬＡＮ側の無線ＬＡＮＩＦを備え、このＬＡＮ側の無線ＬＡＮＩＦ部に接続される無線端末と無線ＬＡＮまたは移動通信網との中継機能を制御部１４が担い、ＷＡＮ側の通信機能部として、無線ＬＡＮＩＦ部１１または移動通信網ＩＦ部１２を使用する構成としてもよい。
【００２５】
図２は、本発明のハンドオーバ方法の第１の処理手順例を示す。
図２において、現在、無線ＬＡＮに接続しているか移動通信網に接続しているかを判断し（Ｓ０）、移動通信網に接続している場合には、受信レベル検出部１３で検出される無線ＬＡＮのＲＳＳＩが閾値を超えたか否かを判断する（Ｓ１）。ＲＳＳＩが閾値を超えた場合には、ただちに無線ＬＡＮへのハンドオーバを行うのではなく、タイマが起動していなければタイマを起動し（Ｓ２，Ｓ３）、タイマが起動していれば規定時間のタイマ満了になるまで（Ｓ４）、ＲＳＳＩの閾値判定Ｓ１を繰り返す。そして、ＲＳＳＩが閾値を超えてタイマ満了になったときに、無線ＬＡＮへのハンドオーバを行う（Ｓ５）。一方、ＲＳＳＩが閾値を超えていない状態、あるいはＲＳＳＩが閾値を超えた後にタイマ満了になるまでの間にＲＳＳＩが閾値以下になったときに、タイマが起動していればタイマをリセットし、タイマが起動していなければそのままＲＳＳＩの閾値判定Ｓ１に戻る（Ｓ６，Ｓ７）。
【００２６】
また、無線ＬＡＮに接続している場合には、受信レベル検出部１３で検出される無線ＬＡＮのＲＳＳＩが閾値以下か否かを判断する（Ｓ11）。ＲＳＳＩが閾値以下の場合には、ただちに移動通信網へのハンドオーバを行うのではなく、タイマが起動していなければタイマを起動し（Ｓ12，Ｓ13）、タイマが起動していれば規定時間のタイマ満了になるまで（Ｓ14）、ＲＳＳＩの閾値判定Ｓ11を繰り返す。そして、ＲＳＳＩが閾値以下でタイマ満了になったときに、移動通信網へのハンドオーバを行う（Ｓ15）。一方、ＲＳＳＩが閾値以下でない状態、あるいはＲＳＳＩが閾値以下になった後にタイマ満了になるまでの間にＲＳＳＩが閾値を超えたときに、タイマが起動していればタイマをリセットし、タイマが起動していなければそのままＲＳＳＩの閾値判定Ｓ11に戻る（Ｓ16，Ｓ17）。
【００２７】
図３は、本発明のハンドオーバ方法の第１の処理手順例に対応する動作例を示す。
図３(1) は従来のハンドオーバ方法の処理手順に対応し、ＲＳＳＩが閾値を挟んで上下するたびに、移動通信網と無線ＬＡＮとの間でハンドオーバが繰り返され、通信が途切れる。
【００２８】
図３(2) は本発明のハンドオーバ方法の第１の処理手順例に対応する。図中○は、ＲＳＳＩが閾値を超え、または閾値以下となってタイマが起動するタイミングを示す。図中×は、タイマが起動してからＲＳＳＩが閾値以下となり、または閾値以上となってタイマがリセットされるタイミングを示す。
【００２９】
ＲＳＳＩが閾値を超える状態がタイマに設定される規定時間継続してから無線ＬＡＮに切り替える。また、ＲＳＳＩが閾値以下の状態がタイマに設定される規定時間継続してから移動通信網に切り替える。これにより、従来のようにＲＳＳＩが閾値を挟んで変動する場合にハンドオーバが頻繁に発生してその都度通信回線が切断される問題を回避し、安定したハンドオーバを実現することができる。
【００３０】
図４は、本発明のハンドオーバ方法の第２の処理手順例を示す。本処理手順例では、２つの閾値１，閾値２を用意し、移動通信網から無線ＬＡＮへのハンドオーバを判断する閾値１は、図２の第１の処理手順例の閾値より高くし、無線ＬＡＮから移動通信網へのハンドオーバを判断する閾値２は、図２の第１の処理手順例の閾値より低く設定する。すなわち、閾値１＞閾値２である。
【００３１】
図４において、現在、無線ＬＡＮに接続しているか移動通信網に接続しているかを判断し（Ｓ０）、移動通信網に接続している場合には、受信レベル検出部１３で検出される無線ＬＡＮのＲＳＳＩが閾値１を超えたか否かを判断する（Ｓ21）。ＲＳＳＩが閾値１を超えた場合には、ただちに無線ＬＡＮへのハンドオーバを行うのではなく、タイマが起動していなければタイマを起動し（Ｓ22，Ｓ23）、タイマが起動していれば規定時間のタイマ満了になるまで（Ｓ24）、ＲＳＳＩの閾値判定Ｓ21を繰り返す。そして、ＲＳＳＩが閾値１を超えてタイマ満了になったときに、無線ＬＡＮへのハンドオーバを行う（Ｓ25）。一方、ＲＳＳＩが閾値１を超えていない状態、あるいはＲＳＳＩが閾値１を超えた後にタイマ満了になるまでの間にＲＳＳＩが閾値１以下になったときに、タイマが起動していればタイマをリセットし、タイマが起動していなければそのままＲＳＳＩの閾値判定Ｓ21に戻る（Ｓ26，Ｓ27）。
【００３２】
また、無線ＬＡＮに接続している場合には、受信レベル検出部１３で検出される無線ＬＡＮのＲＳＳＩが閾値２以下か否かを判断する（Ｓ31）。ＲＳＳＩが閾値２以下の場合には、ただちに移動通信網へのハンドオーバを行うのではなく、タイマが起動していなければタイマを起動し（Ｓ32，Ｓ33）、タイマが起動していれば規定時間のタイマ満了になるまで（Ｓ34）、ＲＳＳＩの閾値判定Ｓ31を繰り返す。そして、ＲＳＳＩが閾値２以下でタイマ満了になったときに、移動通信網へのハンドオーバを行う（Ｓ35）。一方、ＲＳＳＩが閾値２以下でない状態、あるいはＲＳＳＩが閾値２以下になった後にタイマ満了になるまでの間にＲＳＳＩが閾値２を超えたときに、タイマが起動していればタイマをリセットし、タイマが起動していなければそのままＲＳＳＩの閾値判定Ｓ31に戻る（Ｓ36，Ｓ37）。
【００３３】
図５(1) は、本発明のハンドオーバ方法の第２の処理手順例に対応する動作例を示す。図中○は、ＲＳＳＩが閾値１を超え、または閾値２以下となってタイマが起動するタイミングを示す。図中×は、タイマが起動してからＲＳＳＩが閾値１以下となり、また閾値２以上となってタイマがリセットされるタイミングを示す。
【００３４】
ここでは、ＲＳＳＩがある程度上がり、閾値１を超える状態がタイマに設定される規定時間継続してから無線ＬＡＮに切り替える。また、ＲＳＳＩがある程度下がり、閾値２以下の状態がタイマに設定される規定時間継続してから移動通信網に切り替える。これにより、図２および図３に示す第１の処理手順例に比べて、ＲＳＳＩが閾値を挟んで変動することによりタイマがオンオフする回数が減り、安定したハンドオーバを実現することができる。
【００３５】
図６は、本発明のハンドオーバ方法の第３の処理手順例を示す。本処理手順例では、図４および図５に示す第２の処理手順例と同様の２つの閾値１，閾値２（閾値１＞閾値２）を用意するが、タイマのリセットタイミングを規定する閾値を変更する。
【００３６】
図６において、現在、無線ＬＡＮに接続しているか移動通信網に接続しているかを判断し（Ｓ０）、移動通信網に接続している場合には、閾値を閾値１とし、受信レベル検出部１３で検出される無線ＬＡＮのＲＳＳＩが閾値１を超えたか否かを判断する（Ｓ41）。ＲＳＳＩが閾値１を超えた場合には、ただちに無線ＬＡＮへのハンドオーバを行うのではなく、閾値を閾値２とし、タイマが起動していなければタイマを起動し（Ｓ42，Ｓ43）、タイマが起動していれば規定時間のタイマ満了になるまで（Ｓ44）、ＲＳＳＩの閾値判定Ｓ41を繰り返す。このとき、ＲＳＳＩを判定する閾値は閾値１から閾値２に変更になっている。そして、ＲＳＳＩが閾値１を超え、かつ閾値２以下にならずにタイマ満了になったときに、無線ＬＡＮへのハンドオーバを行う（Ｓ45）。一方、ＲＳＳＩが閾値１を超えていない状態、あるいはＲＳＳＩが閾値１を超えた後にタイマ満了になるまでの間にＲＳＳＩが閾値２以下になったときに、閾値を閾値１とし、タイマが起動していればタイマをリセットし、タイマが起動していなければそのままＲＳＳＩの閾値判定Ｓ41に戻る（Ｓ46，Ｓ47）。
【００３７】
また、無線ＬＡＮに接続している場合には、閾値を閾値２とし、受信レベル検出部１３で検出される無線ＬＡＮのＲＳＳＩが閾値２以下か否かを判断する（Ｓ51）。ＲＳＳＩが閾値２以下の場合には、ただちに移動通信網へのハンドオーバを行うのではなく、閾値を閾値１とし、タイマが起動していなければタイマを起動し（Ｓ52，Ｓ53）、タイマが起動していれば規定時間のタイマ満了になるまで（Ｓ54）、ＲＳＳＩの閾値判定Ｓ51を繰り返す。このとき、ＲＳＳＩを判定する閾値は閾値２から閾値１に変更になっている。そして、ＲＳＳＩが閾値２以下となり、かつ閾値１を超えずにタイマ満了になったときに、移動通信網へのハンドオーバを行う（Ｓ55）。一方、ＲＳＳＩが閾値２以下でない状態、あるいはＲＳＳＩが閾値２以下となった後にタイマ満了になるまでの間にＲＳＳＩが閾値１を超えたときに、タイマが起動していればタイマをリセットし、タイマが起動していなければそのままＲＳＳＩの閾値判定Ｓ51に戻る（Ｓ56，Ｓ57）。
【００３８】
図５(2) は、本発明のハンドオーバ方法の第３の処理手順例に対応する動作例を示す。図中○は、ＲＳＳＩが閾値１を超え、または閾値２以下となってタイマが起動するタイミングを示す。また、ＲＳＳＩが閾値１を超え、タイマが起動してからＲＳＳＩが閾値２以下となるタイミング、またＲＳＳＩが閾値２以下となり、タイマが起動してからＲＳＳＩが閾値１を超えるタイミングで、それぞれタイマがリセットされる。
【００３９】
ここでは、ＲＳＳＩがある程度上がり、閾値１を超え、かつ閾値２以下にならない状態がタイマに設定される規定時間継続してから無線ＬＡＮに切り替える。すなわち、ＲＳＳＩが閾値２まで下がらない限り、タイマはリセットされない。また、ＲＳＳＩがある程度下がり、閾値２以下になり、かつ閾値１を超えない状態がタイマに設定される規定時間継続してから移動通信網に切り替える。すなわち、ＲＳＳＩが閾値１を超えない限り、タイマはリセットされない。これにより、図４および図５(1) に示す第２の処理手順例に比べて、ＲＳＳＩが閾値１，２を挟んで変動することによりタイマがオンオフする回数が減り、迅速かつ安定したハンドオーバを実現することができる。
【実施例２】
【００４０】
図７は、本発明の無線通信装置の実施例２の構成例を示す。
図７において、無線通信装置は、無線ＬＡＮＩＦ部１１と、移動通信網ＩＦ部１２と、無線ＬＡＮＩＦ部１１に接続して無線ＬＡＮの受信レベル（ＲＳＳＩ）を検出する受信レベル検出部１３と、無線ＬＡＮのＲＳＳＩに応じて無線ＬＡＮと移動通信網のハンドオーバを制御する制御部１４と、制御部１４に接続してハンドオーバに係る時間計測を行うタイマ部１５と、制御部１４を介して無線ＬＡＮＩＦ部１１または移動通信網ＩＦ部１２との間で送受信データを入出力するデータ入出力部１６と、制御部１４およびデータ入出力部１６に接続して無通信期間を測定し、ハンドオーバを制御する無通信期間測定部１７を備える。
【００４１】
なお、本構成は単体の無線端末装置であってもよいし、無線中継装置のＷＡＮ側の通信機能部とし、ＬＡＮ側に無線ＬＡＮＩＦ部を備え、このＬＡＮ側の無線ＬＡＮＩＦ部に接続される無線端末と無線ＬＡＮまたは携帯電話網との中継機能を制御部１４およびデータ入出力部１６が担う構成としてもよい。
【００４２】
図８は、本発明のハンドオーバ方法の第４の処理手順例を示す。
図８において、現在、無線ＬＡＮに接続しているか移動通信網に接続しているかを判断し（Ｓ０）、移動通信網に接続している場合には、受信レベル検出部１３で検出される無線ＬＡＮのＲＳＳＩが閾値を超えたか否かを判断する（Ｓ61）。ここで、ＲＳＳＩが閾値を超えていなければ、ＲＳＳＩの閾値判定Ｓ61に戻る。一方、ＲＳＳＩが閾値を超えた場合には、ただちに無線ＬＡＮへのハンドオーバを行うのではなく、無通信期間測定部１７によってデータ通信のトラヒックの有無を測定し、無通信期間がタイマ満了まで継続したか否かを判定する（Ｓ62）。ここで、無通信期間満了までにデータ通信のトラヒックがあれば、ＲＳＳＩの閾値判定Ｓ61に戻る。一方、無通信期間満了までにデータ通信のトラヒックがなければ、無線ＬＡＮへのハンドオーバを行うための無線ＬＡＮ基地局（ＡＰ）を探索し（Ｓ63）、無線ＬＡＮ基地局が見つかれば接続処理を行う（Ｓ64）。次に、再度データ通信のトラヒックの有無を検出し、無通信状態が継続しているか否かを判定する（Ｓ65）。ここで、無線ＬＡＮ基地局の探索中に新たなトラヒックが検出されれば、ハンドオーバを行うことなくＲＳＳＩの閾値判定Ｓ61に戻る。一方、新たなトラヒックが検出されなければ、無線ＬＡＮへのハンドオーバを行う（Ｓ66）。
【００４３】
なお、移動通信網に接続しているときに、無線ＬＡＮＩＦ部１１をバックグラウンドで起動し、無線ＬＡＮ基地局を探索して接続処理を行っておき、ＲＳＳＩが閾値を超えたときに、無通信期間満了を確認して無線ＬＡＮへのハンドオーバを行うようにしてもよい。
【００４４】
また、無線ＬＡＮに接続している場合には、受信レベル検出部１３で検出される無線ＬＡＮのＲＳＳＩが閾値以下か否かを判断する（Ｓ71）。ここで、ＲＳＳＩが閾値以下でなければ、ＲＳＳＩの閾値判定Ｓ71に戻る。一方、ＲＳＳＩが閾値以下の場合には、ただちに移動通信網へのハンドオーバを行うのではなく、無通信期間測定部１７によってデータ通信のトラヒックの有無を測定し、無通信期間がタイマ満了まで継続したか否かを判定する（Ｓ72）。ここで、無通信期間満了までにデータ通信のトラヒックがあれば、ＲＳＳＩの閾値判定Ｓ71に戻る。一方、所定期間中にデータ通信のトラヒックがなければ、移動通信網へのハンドオーバを行う（Ｓ73）。
【００４５】
なお、ここではＲＳＳＩと閾値判定は従来の手法を用いたが、上記の第１〜第３の処理手順例を用いてＲＳＳＩの閾値判定を行ってもよい。
【符号の説明】
【００４６】
１１  無線ＬＡＮＩＦ部
１２  移動通信網ＩＦ部
１３  受信レベル検出部
１４  制御部
１５  タイマ部
１６  データ入出力部
１７  無通信期間測定部
【図１】
0005117539.tif 000002
【図２】
0005117539.tif 000003
【図３】
0005117539.tif 000004
【図４】
0005117539.tif 000005
【図５】
0005117539.tif 000006
【図６】
0005117539.tif 000007
【図７】
0005117539.tif 000008
【図８】
0005117539.tif 000009
【図９】
0005117539.tif 000010